(57)【特許請求の範囲】
【請求項１】
光源から入射した光に対して、所定波長の光を反射および／または透過するミラーユニットを複数保持し、前記光源の光軸上に配置するミラーユニットを切替可能なミラーユニット切替装置であって、
前記光源から出射された光を内部に取り込むための光源側開口部、および前記ミラーユニットを取り出すための取出用開口部が形成され、内部に前記ミラーユニットを収容する筐体と、
前記筐体に対して移動可能に設けられ、該移動可能な経路上の所定位置において、少なくとも前記光源側開口部および前記取出用開口部のいずれか一方を遮蔽するシャッタ部材と、
を備え、
前記シャッタ部材は、前記取出用開口部を遮蔽した状態で、前記光源側開口部と該光源側開口部に最も近いミラーユニットとの間に位置し、前記光源側開口部を介して前記ミラーユニットに入射する光を減光する減光部を有する
ことを特徴とするミラーユニット切替装置。
【請求項２】
光源から入射した光に対して、所定波長の光を反射および／または透過するミラーユニットを複数保持し、前記光源の光軸上に配置するミラーユニットを切替可能なミラーユニット切替装置であって、
前記光源から出射された光を内部に取り込むための光源側開口部、および前記ミラーユニットを取り出すための取出用開口部が形成され、内部に前記ミラーユニットを収容する筐体と、
前記筐体に対して移動可能に設けられ、該移動可能な経路上の所定位置において、少なくとも前記光源側開口部および前記取出用開口部のいずれか一方を遮蔽するシャッタ部材と、
前記取出用開口部に対して着脱自在に取り付けられる蓋部材と、
を備え、
前記シャッタ部材は、一端で前記取出用開口部を遮蔽するとともに、他端で前記光源側開口部を遮蔽し、
前記蓋部材は、前記シャッタ部材が前記光源側開口部を遮光している状態でのみ、前記取出用開口部に対して着脱可能である
ことを特徴とするミラーユニット切替装置。
【請求項３】
光源から入射した光に対して、所定波長の光を反射および／または透過するミラーユニットを複数保持し、前記光源の光軸上に配置するミラーユニットを切替可能なミラーユニット切替装置であって、
前記光源から出射された光を内部に取り込むための光源側開口部、および前記ミラーユニットを取り出すための取出用開口部が形成され、内部に前記ミラーユニットを収容する筐体と、
前記筐体に対して移動可能に設けられ、該移動可能な経路上の所定位置において、前記光源側開口部および前記取出用開口部を遮蔽するシャッタ部材と、
を備えたことを特徴とするミラーユニット切替装置。
【請求項４】
前記筐体に設けられ、前記シャッタ部材が前記経路上を移動可能に保持するガイド部をさらに備えたことを特徴とする請求項１〜３のいずれか一つに記載のミラーユニット切替装置。
【請求項５】
略円板状をなす載置面で前記ミラーユニットを保持し、前記載置面の中心を軸として回転可能なターレットをさらに備え、
前記ガイド部は、前記載置面の外縁に沿って延びることを特徴とする請求項４に記載のミラーユニット切替装置。
【請求項６】
前記シャッタ部材は、弾性変形可能な部材からなり、前記光源側開口部を遮蔽した場合の形状と、前記取出用開口部を遮蔽した場合の形状とが異なることを特徴とする請求項１に記載のミラーユニット切替装置。
【請求項７】
請求項１〜６のいずれか一つに記載のミラーユニット切替装置を備え、前記ミラーユニットを介して観察対象の標本の標本像を結像することを特徴とする顕微鏡。
【発明の詳細な説明】
【技術分野】
【０００１】
本発明は、例えば、蛍光色素にて特異的に標本を染色して観察する顕微鏡等に用いられるミラーユニット切替装置および顕微鏡に関するものである。
【背景技術】
【０００２】
従来から、蛍光色素にて特異的に染色した標本を観察する顕微鏡では、使用する励起波長に応じた光を反射および／または透過する複数のミラーユニットが用いられている。
【０００３】
ここで、ミラーユニットは、ダイクロイックミラーと、励起フィルタと、吸収フィルタとを有する。各ミラーユニットはターレット上に配設され、ターレットを回転させて所望のミラーユニットを対物レンズの光軸上に配置することによって蛍光観察を可能にする。
【０００４】
ところで、上述した標本観察では、観察する標本に応じて、ターレットに配設するミラーユニットを交換する必要がある。このとき、照明光を点灯した状態でミラーユニットを交換すると、標本観察が行われていないにもかかわらず、励起光源からの光が標本に照射されることがある。これにより、標本によっては褪色を起こしてしまう場合がある。
【０００５】
これに対して、ミラーユニットを交換する際の標本の褪色を防止する技術として、ミラーユニットを保持するカバー部と、カバー部を収容可能であって、光源からの光が通過する開口部を遮蔽可能なシャッタ部材を有する本体部とを備え、本体部がカバー部を収容した際に、シャッタ部材が開口部を開放し、カバー部が本体部から取り外された際に、シャッタ部材が開口部を遮蔽する落射照明装置が開示されている（例えば、特許文献１を参照）。これにより、カバー部を本体部から取り出した場合は、光源からの光が遮蔽された状態となっているため、標本にダメージを与えることなくミラーユニットの交換を行うことができる。
【先行技術文献】
【特許文献】
【０００６】
【特許文献１】特許第４４７７１５８号公報
【発明の概要】
【発明が解決しようとする課題】
【０００７】
しかしながら、特許文献１が開示する落射照明装置は、カバー部を本体部から取り出した際に光源からの光を遮蔽した状態にできるものの、カバー部と本体部との着脱（収容）に連動してシャッタ部材を動作させるための機構が必要となる。この機構においては、カバー部および本体部にそれぞれリンクさせるための構成を設けなければならないため、装置構成が複雑になるおそれがあった。
【０００８】
本発明は、上記に鑑みてなされたものであり、簡易な構成でありながら、観察を行わないときに、標本に励起光源からの光が照射されることなく、ミラーユニットを交換することができるミラーユニット切替装置および顕微鏡を提供することを目的とする。
【課題を解決するための手段】
【０００９】
上述した課題を解決し、目的を達成するために、本発明にかかるミラーユニット切替装置は、光源から入射した光に対して、所定波長の光を反射および／または透過するミラーユニットを複数保持し、前記光源の光軸上に配置するミラーユニットを切替可能なミラーユニット切替装置であって、前記光源から出射された光を内部に取り込むための光源側開口部、および前記ミラーユニットを取り出すための取出用開口部が形成され、内部に前記ミラーユニットを収容する筐体と、前記筐体に対して移動可能に設けられ、該移動可能な経路上の所定位置において、少なくとも前記光源側開口部および前記取出用開口部のいずれか一方を遮蔽するシャッタ部材と、を備え、前記シャッタ部材は、前記取出用開口部を遮蔽した状態で、前記光源側開口部と該光源側開口部に最も近いミラーユニットとの間に位置し、前記光源側開口部を介して前記ミラーユニットに入射する光を減光する減光部を有することを特徴とする。
【００１０】
また、本発明にかかるミラーユニット切替装置は、光源から入射した光に対して、所定波長の光を反射および／または透過するミラーユニットを複数保持し、前記光源の光軸上に配置するミラーユニットを切替可能なミラーユニット切替装置であって、前記光源から出射された光を内部に取り込むための光源側開口部、および前記ミラーユニットを取り出すための取出用開口部が形成され、内部に前記ミラーユニットを収容する筐体と、前記筐体に対して移動可能に設けられ、該移動可能な経路上の所定位置において、少なくとも前記光源側開口部および前記取出用開口部のいずれか一方を遮蔽するシャッタ部材と、前記取出用開口部に対して着脱自在に取り付けられる蓋部材と、を備え、前記シャッタ部材は、一端で前記取出用開口部を遮蔽するとともに、他端で前記光源側開口部を遮蔽し、前記蓋部材は、前記シャッタ部材が前記光源側開口部を遮光している状態でのみ、前記取出用開口部に対して着脱可能であることを特徴とする。
【００１１】
また、本発明にかかるミラーユニット切替装置は、光源から入射した光に対して、所定波長の光を反射および／または透過するミラーユニットを複数保持し、前記光源の光軸上に配置するミラーユニットを切替可能なミラーユニット切替装置であって、前記光源から出射された光を内部に取り込むための光源側開口部、および前記ミラーユニットを取り出すための取出用開口部が形成され、内部に前記ミラーユニットを収容する筐体と、前記筐体に対して移動可能に設けられ、該移動可能な経路上の所定位置において、前記光源側開口部および前記取出用開口部を遮蔽するシャッタ部材と、を備えたことを特徴とする。
【００１２】
また、本発明にかかるミラーユニット切替装置は、上記の発明において、前記筐体に設けられ、前記シャッタ部材が前記経路上を移動可能に保持するガイド部をさらに備えたことを特徴とする。
【００１３】
また、本発明にかかるミラーユニット切替装置は、上記の発明において、略円板状をなす載置面で前記ミラーユニットを保持し、前記載置面の中心を軸として回転可能なターレットをさらに備え、前記ガイド部は、前記載置面の外縁に沿って延びることを特徴とする。
【００１４】
また、本発明にかかるミラーユニット切替装置は、上記の発明において、前記シャッタ部材は、弾性変形可能な部材からなり、前記光源側開口部を遮蔽した場合の形状と、前記取出用開口部を遮蔽した場合の形状とが異なることを特徴とする。
【００１６】
また、本発明にかかる顕微鏡は、上記の発明にかかるミラーユニット切替装置を備え、前記ミラーユニットを介して観察対象の標本の標本像を結像することを特徴とする。
【発明の効果】
【００１７】
本発明にかかるミラーユニット切替装置および顕微鏡は、光源側に設けられた光源側開口部およびミラーユニットを取り出すための取出用開口部を有し、シャッタ部材が、少なくとも光源側開口部および取出用開口部のいずれか一方を遮蔽するようにしたので、簡易な構成でありながら、観察を行わないときに、標本に励起光源からの光が照射されることなく、ミラーユニットを交換することができるという効果を奏する。
【図面の簡単な説明】
【００１８】
【図１】図１は、本発明の実施の形態１にかかる顕微鏡の全体構成を示す模式図である。
【図２】図２は、本発明の実施の形態１にかかるミラーユニット切替装置の構成を模式的に示す部分断面図である。
【図３】図３は、図２に示すＡ−Ａ線に対応するミラーユニット切替装置の構成を模式的に示す部分断面図である。
【図４】図４は、図２に示すＢ−Ｂ線に対応するミラーユニット切替装置の構成を模式的に示す部分断面図である。
【図５】図５は、本発明の実施の形態１にかかるミラーユニット切替装置の構成を模式的に示す部分断面図である。
【図６】図６は、図５に示すＣ−Ｃ線に対応するミラーユニット切替装置の構成を模式的に示す部分断面図である。
【図７】図７は、図５に示すＤ−Ｄ線に対応するミラーユニット切替装置の構成を模式的に示す部分断面図である。
【図８】図８は、本発明の実施の形態１の他の例にかかるミラーユニット切替装置の構成を示す部分断面図である。
【図９】図９は、本発明の実施の形態１の変形例１−１にかかるミラーユニット切替装置の構成を示す部分断面図である。
【図１０】図１０は、本発明の実施の形態１の変形例１−２にかかるミラーユニット切替装置の構成を示す部分断面図であって、シャッタが開いた状態の図である。
【図１１】図１１は、本発明の実施の形態１の変形例１−２にかかるミラーユニット切替装置の構成を示す側面図であって、シャッタが開いた状態の図である。
【図１２】図１２は、本発明の実施の形態１の変形例１−２にかかるミラーユニット切替装置の構成を示す部分断面図であって、シャッタが閉じた状態の図である。
【図１３】図１３は、本発明の実施の形態１の変形例１−２にかかるミラーユニット切替装置の構成を示す側面図であって、シャッタが閉じた状態の図である。
【図１４】図１４は、本発明の実施の形態１の変形例１−３にかかるミラーユニット切替装置の構成を示す部分断面図であって、シャッタの開閉ストロークを短くした状態の図である。
【図１５】図１５は、本発明の実施の形態１の変形例１−３にかかるミラーユニット切替装置の構成を示す側面図であって、シャッタの開閉ストロークを短くした状態の図である。
【図１６】図１６は、本発明の実施の形態２にかかるミラーユニット切替装置の構成を模式的に示す部分断面図である。
【図１７】図１７は、本発明の実施の形態２にかかるミラーユニット切替装置の構成を模式的に示す部分断面図である。
【図１８】図１８は、本発明の実施の形態２にかかるミラーユニット切替装置の構成を模式的に示す部分断面図である。
【図１９】図１９は、本発明の実施の形態２の変形例２−１にかかるミラーユニット切替装置の構成を模式的に示す部分断面図である。
【図２０】図２０は、本発明の実施の形態２の変形例２−１にかかるミラーユニット切替装置のシャッタ部材の構成を模式的に示す部分断面図である。
【図２１】図２１は、本発明の実施の形態２の変形例２−２にかかるミラーユニット切替装置の構成を模式的に示す部分断面図である。
【図２２】図２２は、本発明の実施の形態３にかかるミラーユニット切替装置の構成を模式的に示す部分断面図である。
【図２３】図２３は、本発明の実施の形態３にかかるミラーユニット切替装置の構成を模式的に示す部分断面図である。
【図２４】図２４は、本発明のその他の実施の形態にかかるミラーユニット切替装置の構成を模式的に示す部分断面図である。
【図２５】図２５は、本発明のその他の実施の形態にかかるミラーユニット切替装置の構成を模式的に示す部分断面図である。
【図２６】図２６は、本発明のその他の実施の形態の変形例にかかるミラーユニット切替装置の要部の構成を模式的に示す部分断面図である。
【図２７】図２７は、本発明のその他の実施の形態の変形例にかかるミラーユニット切替装置の構成を模式的に示す部分断面図である。
【図２８】図２８は、本発明のその他の実施の形態の変形例にかかるミラーユニット切替装置の構成を模式的に示す部分断面図である。
【発明を実施するための形態】
【００１９】
以下、本発明を実施するための形態を図面と共に詳細に説明する。なお、以下の実施の形態により本発明が限定されるものではない。また、以下の説明において参照する各図は、本発明の内容を理解し得る程度に形状、大きさ、および位置関係を概略的に示してあるに過ぎない。すなわち、本発明は各図で例示された形状、大きさ、および位置関係のみに限定されるものではない。
【００２０】
（実施の形態１）
まず、本実施の形態１にかかる顕微鏡について、図面を参照して詳細に説明する。図１は、本実施の形態１にかかる顕微鏡の全体構成を示す模式図である。図１に示すように、顕微鏡１は、蛍光色素にて特異的に染色された標本Ｓの標本像を結像して標本Ｓを観察するための倒立顕微鏡であって、光源から入射した光に対して、所定波長の光を反射および／または透過するミラーユニット２を複数保持し、光源の光軸上に配置するミラーユニット２を切替可能なミラーユニット切替装置３を備える。
【００２１】
顕微鏡１は、観察対象の標本Ｓが載置されるステージ１０と、略凹状をなし、上端部でステージ１０を支持するとともに、標本Ｓを拡大観察するための対物レンズ１１を保持する顕微鏡本体１２と、顕微鏡本体１２の上部後方（図１の右方）に配設され、複数の励起波長の光を含む照射光を、投光管１３を介してミラーユニット切替装置３に出射する光源１４と、顕微鏡本体１２の上部に載置された鏡筒１５と、鏡筒１５に取り付けられ、標本Ｓの標本像を目視観察するための双眼部１６と、を備える。また、ミラーユニット切替装置３は、ミラーユニット２が、光源１４の光軸Ｎ１と対物レンズ１１の光軸Ｎ２との交点に位置できるように顕微鏡本体１２に配設される。
【００２２】
鏡筒１５は、ミラーユニット切替装置３から図示しない内部の光学系を介して入射する観察光の光路を切り換えて双眼部１６へと導く。標本Ｓの標本像は、鏡筒１５の内部で双眼部１６内に導入され、接眼レンズを介して検鏡者に目視観察される。あるいは、鏡筒１５に接続されるテレビカメラ等によって撮像される。
【００２３】
図２は、本実施の形態１にかかるミラーユニット切替装置の構成を模式的に示す部分断面図である。図３は、図２に示すＡ−Ａ線に対応するミラーユニット切替装置の構成を模式的に示す部分断面図である。図４は、図２に示すＢ−Ｂ線に対応するミラーユニット切替装置の構成を模式的に示す部分断面図である。
【００２４】
ミラーユニット２（２ａ〜２ｄ）は、光源１４から出射された光軸Ｎ１の光のうち、所定波長の光を反射するとともに、標本Ｓが発した光軸Ｎ２の光のうち、所定波長の光を透過するダイクロイックミラー２０（２０ａ〜２０ｄ）と、ダイクロイックミラー２０によって反射させる励起波長に対応した光を光源１４から出射された出射光から抽出する励起フィルタ２１（２１ａ〜２１ｄ）と、標本Ｓが発した光から所望の波長の光を抽出する吸収フィルタ２２（２２ａ〜２２ｄ）と、を有する。
【００２５】
ここで、各ダイクロイックミラー２０ａ〜２０ｄは、各ミラーユニット２ａ〜２ｄに応じた励起波長に対応する波長の光を反射し、標本Ｓから発せられる所定波長の光を透過する。
【００２６】
ミラーユニット切替装置３は、内部に上述したミラーユニット２（２ａ〜２ｄ）を収容する筐体３０と、ミラーユニット２ａ〜２ｄを保持するターレット３１と、ターレット３１の外縁に沿って形成されるガイド部材３２（ガイド部）と、ガイド部材３２に保持され、ガイド部材３２に沿って移動可能なシャッタ部材３３と、を有する。
【００２７】
筐体３０には、光源１４から出射された光を筐体３０の内部に取り込むための光源側開口部３０ａと、筐体３０の内部からミラーユニット２を取り出して交換するための取出用開口部３０ｂと、ダイクロイックミラー２０によって反射された光および標本Ｓが発した光を通過させるための第１観察光開口部３０ｃと、第１観察光開口部３０ｃと同軸上に設けられ、ダイクロイックミラー２０が透過した標本Ｓが発した光を通過させるための第２観察光開口部３０ｄと、が形成されている。光源側開口部３０ａは、ミラーユニット切替装置３が顕微鏡１に取り付けられた際に、光源１４の光軸Ｎ１を中心として開口する位置に設けられる。また、第１観察光開口部３０ｃおよび第２観察光開口部３０ｄは、ミラーユニット切替装置３が顕微鏡１に取り付けられた際に、対物レンズ１１の光軸Ｎ２を中心として開口するようにそれぞれ設けられる。
【００２８】
ターレット３１は、略円板状をなす載置面でミラーユニット２を保持し、この載置面の中心を通過する軸と同軸の軸３１ａを回転軸として回転可能であり、回転することによって所望のミラーユニットを第１観察光開口部３０ｃおよび第２観察光開口部３０ｄとの間に配置する。このとき、光源１４の光軸Ｎ１と対物レンズ１１の光軸Ｎ２とが、ミラーユニット２のダイクロイックミラー２０上で交差する。また、ターレット３１は、保持するミラーユニット２ａ〜２ｄに対応して設けられる複数の開口部３１ｂを有する。開口部３１ｂは、ミラーユニット２が第１観察光開口部３０ｃおよび第２観察光開口部３０ｄとの間に配置された際に、第１観察光開口部３０ｃおよび第２観察光開口部３０ｄの軸（光軸Ｎ２）と同軸の開口をなすように設けられる。
【００２９】
ガイド部材３２は、筐体３０の上下にそれぞれ設けられ、このシャッタ部材３３の移動経路に沿って延びている。具体的には、ガイド部材３２は、ターレット３１の外縁に沿って延び、ガイド部材３２が延びる方向に垂直な方向の断面が凹状をなしている。ガイド部材３２は、この凹状の内部空間でシャッタ部材３３を移動可能に保持する。
【００３０】
シャッタ部材３３は、板状の部材を用いて形成され、ガイド部材３２に沿った弧状をなす。また、シャッタ部材３３は、外部側の板面に設けられ、この板面に対して垂直な方向に突出した突出部材３３ａを有する。突出部材３３ａは、取出用開口部３０ｂから外部に突出しており、この取出用開口部３０ｂの開口壁面と当接することによってシャッタ部材３３の移動量を調節するとともに、作業者がシャッタ部材３３を操作する際の把持部材としても機能する。
【００３１】
図２〜４に示すミラーユニット切替装置３は、シャッタ部材３３が、取出用開口部３０ｂを遮蔽した状態である。これにより、光源１４から出射された光が光源側開口部３０ａを介してダイクロイックミラー２に進入して反射され、標本Ｓに照射される。この位置において、シャッタ部材３３は、一端で取出用開口部３０ｂを遮蔽しているため、筐体３０内に進入した光が取出用開口部３０ｂから外部に漏れることはない。
【００３２】
図５は、図２に示すミラーユニット切替装置３において、シャッタ部材を移動した場合の構成を模式的に示す部分断面図である。図６は、図５に示すＣ−Ｃ線に対応するミラーユニット切替装置の構成を模式的に示す部分断面図である。図７は、図５に示すＤ−Ｄ線に対応するミラーユニット切替装置の構成を模式的に示す部分断面図である。
【００３３】
図５〜７に示すミラーユニット切替装置３では、シャッタ部材３３がガイド部材３２に沿って光源側開口部３０ａ側に移動している。この位置において、シャッタ部材３３は、他端で光源側開口部３０ａを遮蔽するとともに、取出用開口部３０ｂを開放する。これにより、光源１４からの光が筐体３０内に進入しないため、観察を行わないときに、標本に励起光源からの光が照射されることなく、ミラーユニット２の交換を行うことができる。
【００３４】
上述した本実施の形態１によれば、光源側に設けられた光源側開口部およびミラーユニットを取り出すための取出用開口部を有するミラーユニット切替装置において、シャッタ部材が、光源側開口部および取出用開口部のいずれか一方の開放に伴って他方を遮蔽するようにしたので、ミラーユニットを取り出す際に取出用開口部を開放した場合、連動して光源側開口部が遮蔽されるため、簡易な構成でありながら、観察を行わないときに、標本に励起光源からの光が照射されることなく、ミラーユニットを交換することができる。
【００３５】
また、ミラーユニットの取り出し作業中に光源から光が出射されている場合、作業者に対して光が漏れないことはもちろん、標本に対しても光が照射されない。このため、標本をステージに載置した状態でミラーユニットを交換した場合であっても、標本に光が照射された状態が維持されることによる標本の損傷を防止することができる。
【００３６】
なお、上述した実施の形態１では、ミラーユニット切替装置がミラーユニットを４つ有するものとして説明したが、ミラーユニットの数は４つに限ることなく、図８に示すミラーユニット切替装置３ａのように、ターレット３４に保持された８つのミラーユニット（ミラーユニット２ａ〜２ｈ）であってもよい。ミラーユニット切替装置が保持するミラーユニットは、２以上の数であれば適用可能である。
【００３７】
また、取出用開口部は、筐体の中心に対して光源側開口部と直交する位置に配置されるものとして説明したが、光源側開口部と対向する位置に配置されるものであってもよい。取出用開口部は、ミラーユニットが取出し可能な位置であれば形成可能である。
【００３８】
ここで、上述した実施の形態１では、ミラーユニット切替装置のシャッタ部材が作業者の手作業による動作であるものとして説明したが、変形例１−１（図９参照）に示すミラーユニット切替装置３ｂのように、制御部４によって、シャッタ部材３３の移動が電気的に制御されるものであってもよい。制御部４は、図示しない入力部からの指示情報によって、シャッタ部材３３を駆動する。このとき、シャッタ部材３５は、モータ等の駆動機構によってガイド部材３２上を移動する。
【００３９】
また、図１０〜１５を用いて、実施の形態1の変形例１−２を説明する。図１０は、本実施の形態１の変形例１−２にかかるミラーユニット切替装置の構成を示す部分断面図であって、シャッタが開いた状態の図である。図１１は、本実施の形態１の変形例１−２にかかるミラーユニット切替装置の構成を示す側面図であって、シャッタが開いた状態の図である。図１２は、本実施の形態１の変形例１−２にかかるミラーユニット切替装置の構成を示す部分断面図であって、シャッタが閉じた状態の図である。図１３は、本実施の形態１の変形例１−２にかかるミラーユニット切替装置の構成を示す側面図であって、シャッタが閉じた状態の図である。図１４は、本実施の形態１の変形例１−２にかかるミラーユニット切替装置の構成を示す部分断面図であって、シャッタの開閉ストロークを短くした状態の図である。図１５は、本実施の形態１の変形例１−２にかかるミラーユニット切替装置の構成を示す側面図であって、シャッタの開閉ストロークを短くした状態の図である。なお、図１等で上述したものと同じ構成要素には同じ符号を付してある。
【００４０】
変形例１−２にかかるミラーユニット切替装置は、図１０，１１に示すように、外周面の取出用開口部３０ｂの周辺部に形成された凹部３０１ａと、凹部３０１ａに嵌る略板状をなす蓋部５０と、を有する筐体３０１を備える。蓋部５０には、この板面に略直交する方向に突出する取付けつまみ５１が設けられている。取付けつまみ５１は、板面に対して突出方向と反対方向において筐体３０１にねじ込まれた状態になっている。すなわち、蓋部５０は、取付けつまみ５１によって凹部３０１ａに押付けられて固定されている。ここで、上述した突出部材３３ａには、シャッタ部材３３との連結側と異なる側の端部に操作部３３ｂが設けられている。
【００４１】
また、蓋部５０には、板厚方向に貫通し、シャッタ部材３３に設けられた突出部材３３ｂが挿通し、シャタ部材３３の開閉に伴う突出部材３３ａの移動を妨げないような大きさの孔をなす開口部５０ａが形成されている。開口部５０ａには、シャタ部材３３が照明光を完全に遮蔽する場合の突出部材３３ａの位置に設けられ、開口領域が突出部材３３ａの操作部３３ｂよりも大きい大径部５０１ａと、大径部５０１ａからシャタ部材３３移動方向に延び、操作部３３ｂよりも狭く、かつ突出部材３３ａの径より大きい小径部５０１ｂとが形成されている。
【００４２】
これにより、取付けつまみ５１を緩めると、蓋部５０と筐体３０１との固定が解除され、図１２，１３のようにシャタ部材３３が照明光を完全に遮蔽した位置では、操作部３３ｂが大径部５０１ａに位置しているため、操作部３３ｂが大径部５０１ａを潜り抜け、蓋部５０は凹部３０１ａから完全に外れる。一方、図１０，１１のようにシャタ部材３３が照明光を完全に遮蔽していない位置（突出部材３３ａが小径部５０１ｂに位置する場合）では、取付けつまみ５１を緩めた場合であっても、操作部３３ｂが小径部５０１ｂに位置しているため、操作部３３ｂが開口部５０ａを潜り抜けることができず、蓋部５０は凹部３０１ａ内で保持されたまま外れない。
【００４３】
上述した実施の形態１の変形例１−２によれば、実施例１の効果に加え、シャタ部材３３の移動中でも取出用開口部３０ｂには蓋部５０が被せられているため、光源からの光は外部に漏れにくい。そして、蓋部５０は、シャタ部材３３が照明光を完全に遮蔽していないと筐体３０１から外れないため、シャッタ部材３３の移動中に不用意に取付けつまみ５１を緩めても外れることがない。また、シャッタを閉じた状態でも蓋部５０があるため、埃などが筐体３０１内部に侵入することを防ぐこともできる。さらに図１４，１５に示す変形例１−３のように、上述した大径部５０１ｂと、小径部５０１ｂと比してシャッタ部材３３の移動方向に沿った長さが短い小径部５０１ｃとからなる開口部５０ｂを形成して、シャッタ部材３３の移動量を減らすことによって同様の効果を得ることができ、筐体３０１内のシャッタ部材３３の移動スペースに制約がある場合でも対応することが可能となる。
【００４４】
（実施の形態２）
図１６〜１８は、本実施の形態２にかかるミラーユニット切替装置の構成を模式的に示す部分断面図である。なお、図１等で上述したものと同じ構成要素には同じ符号を付してある。本実施の形態２にかかるミラーユニット切替装置３ｃは、上述した実施の形態１の構成に対し、移動方向に沿ってさらに延伸されたシャッタ部材３６と、シャッタ部材３６に対応して延伸されたガイド部材３５とを有する。
【００４５】
シャッタ部材３６は、取出用開口部３０ｂ側の端部が、取出用開口部３０ｂの光源側開口部３０ａから遠い側の端部近傍に位置した際、光源側開口部３０ａ側の端部が、光源側開口部３０ａの取出用開口部３０ｂから遠い側の端部近傍に位置するような長さまで延伸される（図１７参照）。このとき、光源側開口部３０ａおよび取出用開口部３０ｂは、シャッタ部材３６によって遮蔽される。
【００４６】
また、図１７のシャッタ部材３６の位置からさらに光源側開口部３０ａ側に移動させると、取出用開口部３０ｂ側が開放されて、ミラーユニット２（２ｃ）の交換が可能となる（図１８参照）。
【００４７】
上述した本実施の形態２によれば、実施の形態１と同様、光源側に設けられた光源側開口部およびミラーユニットを取り出すための取出用開口部を有するミラーユニット切替装置において、シャッタ部材が、光源側開口部および取出用開口部のいずれか一方の開放に伴って他方を遮蔽するようにしたので、ミラーユニットを取り出す際に取出用開口部を開放した場合、連動して光源側開口部が遮蔽されるため、簡易な構成でありながら、観察を行わないときに、標本に励起光源からの光が照射されることなく、ミラーユニットを交換することができる。
【００４８】
また、実施の形態２では、シャッタ部材の位置によって光源側開口部および取出用開口部の両方を遮蔽するため、例えば、ミラーユニット切替装置（顕微鏡）の非使用時に、塵や埃等が筐体内部に進入することや、光がミラーユニット内に誤入射することを防止することができる。
【００４９】
図１９は、本発明の実施の形態２の変形例２−１にかかるミラーユニット切替装置の構成を模式的に示す部分断面図である。図２０は、本発明の実施の形態２の変形例２−１にかかるミラーユニット切替装置のシャッタ部材の構成を模式的に示す部分断面図である。
【００５０】
図１９に示すミラーユニット切替装置３ｄでは、シャッタ部材３６の光源側開口部３０ａ側の端部にメッシュＮＤ部３６ａ（減光部）が設けられている。メッシュＮＤ部３６ａは、シャッタ部材３３が取出用開口部３０ｂを遮蔽した状態で、光源側開口部３０ａと光源側開口部３０ａに最も近いミラーユニット２（２ｂ）との間に位置し、光源側開口部３０ａに対応する範囲内に複数の孔３６ｂが設けられている（図２０参照）。この孔３６ｂによって光源１４からの光を減光してミラーユニット２（２ｂ）に入射させることができ、ミラーユニット切替装置３ｄにおいて、光量調整を行うことが可能となる。
【００５１】
また、変形例２−１にかかるミラーユニット切替装置３ｄでは、シャッタ部材３６の取出用開口部３０ｂ側から光源側開口部３０ａ側への移動に連動して、光源からの光に対して、全光、減光、遮光の順で取り込み状態が変わるものとして説明したが、図２１に示す変形例２にかかるミラーユニット切替装置３ｅのように、メッシュＮＤ部３６ａの端部からさらにシャッタ部材を延伸した構成としてもよい。このとき、ミラーユニット切替装置３ｅでは、シャッタ部材３６の取出用開口部３０ｂ側から光源側開口部３０ａ側への移動に連動して、光源からの光に対して、全光、遮光、減光、遮光の順で取り込み状態が変わる。
【００５２】
（実施の形態３）
図２２，２３は、本実施の形態３にかかるミラーユニット切替装置の構成を模式的に示す部分断面図である。なお、図１等で上述したものと同じ構成要素には同じ符号を付してある。本実施の形態３にかかるミラーユニット切替装置３ｆは、上述した実施の形態１の構成に対し、少なくとも光源側開口部３０ａおよび取出用開口部３０ｂに対応して形成されたガイド部材３７と、平板状をなし、ガイド部材３７に保持され、弾性変形可能なシャッタ部材３８とを有する。シャッタ部材３８は、弾性変形可能な部材からなり、板厚方向の面の形状において、光源側開口部３０ａを遮蔽した場合の形状と、取出用開口部３０ｂを遮蔽した場合の形状とが異なる。
【００５３】
ミラーユニット切替装置３ｆでは、ミラーユニットを交換する際、図２２に示すシャッタ部材３８の位置から、図２３に示すシャッタ部材３８の位置に移動させると、シャッタ部材３８は、ガイド部材３７の形状に沿って弾性変形しながら移動する。なお、シャッタ部材３８の水平方向の長さは、ガイド部材３７に沿って移動した際に、光源側開口部３０ａおよび取出用開口部３０ｂの一方を遮蔽した際に、他方を開放することができる長さである。
【００５４】
上述した本実施の形態３によれば、実施の形態１と同様、光源側に設けられた光源側開口部およびミラーユニットを取り出すための取出用開口部を有するミラーユニット切替装置において、シャッタ部材が、光源側開口部および取出用開口部のいずれか一方の開放に伴って他方を遮蔽するようにしたので、ミラーユニットを取り出す際に取出用開口部を開放した場合、連動して光源側開口部が遮蔽されるため、簡易な構成で安全にミラーユニットを交換することができる。
【００５５】
また、実施の形態３では、弾性変形可能なシャッタ部材が、ガイド部材に沿って移動できるため、ガイド部材の形成領域の自由度を増大させることができ、その結果、筐体内における他の部材の配置の自由度を向上させることができる。なお、シャッタ部材は、弾性部材で形成されてもよいし、剛性材料で形成された蛇腹形状をなすものであってもよい。
【００５６】
（その他の実施の形態）
図２４，２５は、その他の実施の形態にかかるミラーユニット切替装置の構成を模式的に示す部分断面図である。なお、図１等で上述したものと同じ構成要素には同じ符号を付してある。その他の実施の形態にかかるミラーユニット切替装置３ｇは、所定位置に設けられた軸を中心軸として回転するシャッタ部材３９を有する。
【００５７】
シャッタ部材３９は、光源側開口部３０ａを遮蔽可能な板状をなす第１遮蔽部材３９ａと、第１遮蔽部材３９ａの端部に連結され、光源側開口部３０ａから取出用開口部３０ｂへの入射光を遮蔽する第２遮蔽部材３９ｂと、第１遮蔽部材３９ａと第２遮蔽部材３９ｂとの連結部分に設けられ、ターレット３１のミラーユニットの載置面に対して垂直な方向に延びる回転軸３９ｃと、を有する。第１遮蔽部材３９ａおよび第２遮蔽部材３９ｂは、回転軸３９ｃを中心軸として回転可能である。
【００５８】
また、ターレット３１は、上述した軸３１ａおよび開口部３１ｂ（不図示）と、各ミラーユニット２ａ〜２ｄ間にそれぞれ設けられ、隣接するミラーユニット等から漏れる光を遮蔽する遮光部材３１ｃと、を有する。
【００５９】
図２４に示すように、取出用開口部３０ｂは、第１遮蔽部材３９ａによって遮蔽された状態となる。一方、第１遮蔽部材３９ａおよび第２遮蔽部材３９ｂを回転軸３９ｃまわりに回転させると、取出用開口部３０ｂが開放されるとともに、第２遮蔽部材３９ｂと遮光部材３１ｃとによって、光源側開口部３０ａから取出用開口部３０ｂへの直線的な光の進入を遮断する。
【００６０】
上述したその他の実施の形態によれば、実施の形態１と同様、光源側に設けられた光源側開口部およびミラーユニットを取り出すための取出用開口部を有するミラーユニット切替装置において、シャッタ部材が、取出用開口部の開放に伴って光源側開口部と取出用開口部との間の光の進入を遮断するようにしたので、ミラーユニットを取り出す際に取出用開口部を開放した場合、取出用開口部から光源側開口部の光が漏れ出ることがないため、簡易な構成でありながら、観察を行わないときに、標本に励起光源からの光が照射されることなく、ミラーユニットを交換することができる。
【００６１】
図２６は、その他の実施の形態の変形例にかかるミラーユニット切替装置の要部の構成を模式的に示す部分断面図である。図２７は、その他の実施の形態の変形例にかかるミラーユニット切替装置の構成を模式的に示す部分断面図である。図２８は、その他の実施の形態の変形例にかかるミラーユニット切替装置の構成を模式的に示す部分断面図である。
【００６２】
その他の実施の形態の変形例にかかるミラーユニット切替装置３ｈは、図２６に示すように、筐体３０の上部（天板部）にガイド部材４０が配設される。ガイド部材４０は、取出用開口部３０ｂに対応して延びるとともに、取出用開口部３０ｂの光源側開口部３０ａ側の端部でターレット３１側に屈曲して延びている。このとき、ガイド部材４０の光源側開口部３０ａ側の端部は、遮光部材３１ｃの端部近傍まで延びている。
【００６３】
上述したガイド部材４０に対し、図２７に示すように、シャッタ部材４１を配設する。シャッタ部材４１は、実施の形態３と同様、弾性変形可能な略板状をなす。また、シャッタ部材は、上述した突出部材３３ａを有する。シャッタ部材４１のガイド部材に沿って移動する方向の長さは、少なくとも取出用開口部３０ｂを覆うような長さであればよい。このとき、シャッタ部材４１は、ガイド部材４０に沿って移動可能となるようにガイド部材４０によって保持されている。
【００６４】
また、シャッタ部材４１を光源側開口部３０ａ側に移動させると、取出用開口部３０ｂが開放されるとともに、シャッタ部材４１と遮光部材３１ｃとによって、光源側開口部３０ａと取出用開口部３０ｂとの間の光の進入を遮断する。このとき、シャッタ部材４１は、板厚方向の面の形状において、光源側開口部３０ａを遮蔽した場合の形状と、取出用開口部３０ｂを遮蔽した場合の形状とが異なる。
【００６５】
上述した実施の形態１〜３、その他の実施の形態では、図１に示すような倒立顕微鏡を前提として説明したが、正立顕微鏡についても適用可能である。また、上述した実施の形態１〜３では、ガイド部材が凹状をなし、凹状の内部空間でシャッタ部材を保持するものとして説明したが、筐体の内部壁面に溝（ガイド部）を形成し、この溝によってシャッタ部材を保持するものであってもよい。
【００６６】
以上のように、本発明にかかるミラーユニット切替装置および顕微鏡は、簡易な構成でありながら、観察を行わないときに、標本に励起光源からの光が照射されることなく、ミラーユニットを交換するのに有用である。
【符号の説明】
【００６７】
１  顕微鏡
２，２ａ〜２ｈ  ミラーユニット
３，３ａ〜３ｈ  ミラーユニット切替装置
４  制御部
１０  ステージ
１１  対物レンズ
１２  顕微鏡本体
１３  投光管
１４  光源
１５  鏡筒
１６  双眼部
２０，２０ａ〜２０ｄ  ダイクロイックミラー
２１，２１ａ〜２１ｄ  励起フィルタ
２２，２２ａ〜２２ｄ  吸収フィルタ
３０，３０１  筐体
３０ａ  光源側開口部
３０ｂ  取出用開口部
３０ｃ  第１観察光開口部
３０ｄ  第２観察光開口部
３１，３４  ターレット
３１ａ  軸
３１ｂ，５０ａ，５０ｂ  開口部
３１ｃ  遮光部材
３２，３５，３７，４０  ガイド部材
３３，３６，３８，３９，４１  シャッタ部材
３３ａ  突出部材
３３ｂ  操作部
３９ａ  第１遮蔽部材
３９ｂ  第２遮蔽部材
３９ｃ  回転軸
５０  蓋部
５１  取付けつまみ
３０１ａ  凹部
５０１ａ  大径部
５０１ｂ，５０１ｃ  小径部
【図１】
0005993163.tif 000002
【図２】
0005993163.tif 000003
【図３】
0005993163.tif 000004
【図４】
0005993163.tif 000005
【図５】
0005993163.tif 000006
【図６】
0005993163.tif 000007
【図７】
0005993163.tif 000008
【図８】
0005993163.tif 000009
【図９】
0005993163.tif 000010
【図１０】
0005993163.tif 000011
【図１１】
0005993163.tif 000012
【図１２】
0005993163.tif 000013
【図１３】
0005993163.tif 000014
【図１４】
0005993163.tif 000015
【図１５】
0005993163.tif 000016
【図１６】
0005993163.tif 000017
【図１７】
0005993163.tif 000018
【図１８】
0005993163.tif 000019
【図１９】
0005993163.tif 000020
【図２０】
0005993163.tif 000021
【図２１】
0005993163.tif 000022
【図２２】
0005993163.tif 000023
【図２３】
0005993163.tif 000024
【図２４】
0005993163.tif 000025
【図２５】
0005993163.tif 000026
【図２６】
0005993163.tif 000027
【図２７】
0005993163.tif 000028
【図２８】
0005993163.tif 000029